(57)【要約】【課題】    本発明は、高い効率で物体を冷やす又は温めることができる空調システムを提供する。【解決手段】    温度調整された気流を吐出するための通気孔が形成されているハウジングを有し、前記通気孔を通じて温度調整された気流を吐出させる空調装置と、熱伝導材により開口と、密閉された底部とを有するように造られた中空カップ部とを備え、前記カップ部には、前記開口を通じて物を入れる収容空間を画成する内周壁、当該内周壁とで密閉室を画成する外周壁、及び前記密閉室内に設置される熱伝導部材を有するサーマルカップと、前記ハウジングの前記通気孔の近くに設けられてサーマルカップを保持することにより温度調整された気流を前記通気孔を介して吐出させて前記サーマルカップに吹き付けるカップ支持体とを備える。【選択図】  図１
2004268898.tif 000002
【特許請求の範囲】
【請求項１】
温度調整された気流を吐出させるための通気孔が形成されているハウジングを有し、温度調整された気流を前記通気孔を通じて吐出させる空調装置と、
開口と密閉された底部とを有して熱伝導材により形成された中空のカップ部を備えるサーマルカップと、
前記空調装置から前記通気孔を介して吐出された前記気流を前記サーマルカップに吹き付け得る位置に該サーマルカップを保持可能として前記ハウジングの前記通気孔の近くに設けられるカップ支持体とを少なくとも含み、
前記カップ部は、前記開口を通じて物を入れる収容空間を画成する内周壁、当該内周壁との間に密閉室を画成する外周壁、及び前記密閉室内に設置される熱伝導部材を有しており、
前記収容空間に収容された物の温度が、前記空調装置から前記通気孔を介して吐出された前記気流との熱の対流によって制御可能であることを特徴とする空調システム。
【請求項２】
前記サーマルカップは、さらに前記カップ部の開口を塞ぐ蓋部材を有することを特徴とする、請求項１に記載の空調システム。
【請求項３】
前記カップ支持体が、前記ハウジングの前記通気孔の下方に固設されていることを特徴とする、請求項１に記載の空調システム。
【請求項４】
前記カップ支持体が、前記ハウジングに着脱可能に設けられていることを特徴とする、請求項１に記載の空調システム。
【請求項５】
通気孔を通じて温度調整された気流を吐出させる空調装置に付設可能なアセンブリであって、
開口と密閉された底部とを有して熱伝導材により形成された中空のカップ部を備えるサーマルカップと、
前記空調装置から前記通気孔を介して吐出された前記気流を前記サーマルカップに吹き付け得る位置に該サーマルカップを保持可能として前記ハウジングの前記通気孔の近くに設けられるカップ支持体とを少なくとも含み、
前記カップ部は、前記開口を通じて物を入れる収容空間を画成する内周壁、当該内周壁との間に密閉室を画成する外周壁、及び前記密閉室内に設置される熱伝導部材を有しており、
前記収容空間に収容された物の温度が、前記空調装置から前記通気孔を介して吐出された前記気流との熱の対流によって制御可能であることを特徴とする、カップ及び支持体のアセンブリ。
【請求項６】
前記サーマルカップは、さらに前記カップ部の開口を塞ぐ蓋部材を有することを特徴とする、請求項５に記載のカップ及び支持体のアセンブリ。
【請求項７】
（ａ）開口及び密閉されている底部を有するように熱伝導材により形成された中空カップ部を備え、前記カップ部には、前記開口を通じて物を入れる収容空間を画成する内周壁、当該内周壁とで密閉室を画成する外周壁、及び前記密閉室内に設置される熱伝導部材を有するサーマルカップを用意するステップと、
（ｂ）前記収容空間に前記物を入れるステップと、
（ｃ）前記サーマルカップを、温度調整された気流を通気孔を介して吐出させ当該サーマルカップに吹付ける空調装置のハウジングの通気孔付近に配置するステップとを備えており、
上記収容空間に収容された物の温度を、吐出した調整気流との熱対流によって制御するようにしたこと特徴とする、物体の温度調整方法。
【請求項８】
前記（ｃ）ステップにおいて、さらに、カップ支持体を前記空調装置におけるハウジングの通気孔付近に取付けるステップと、前記物を前記サーマルカップと共に前記カップ支持体に配置するステップとを有することを特徴とする、請求項７に記載の物体の温度調整方法。
【請求項９】
前記物は、飲料の缶詰であることを特徴とする請求項７に記載の物体の温度調整方法。
【請求項１０】
前記物は、食品の缶詰であることを特徴とする請求項７に記載の物体の温度調整方法。
【発明の詳細な説明】
【技術分野】
【０００１】
本発明は、空調システムに関し、特に、サーマルカップに収容された物の温度を制御するため、通気孔の近くにサーマルカップを保持させた空調システム、及びこの空調装置によってサーマルカップ内の物の温度を制御する方法に関する。
【背景技術】
【０００２】
従来の電気器具において、サーマル・カップの形をとり、サーマル・カップが選択的に熱吸収モード及び熱放射モードのうちのいずれかで作動するように電気的に操作可能である温度制御装置を備えた電気器具は、既に知られている（下記の特許文献１を参照）。
【特許文献１】実用新案登録第３０９３５９９号公報
【発明の開示】
【発明が解決しようとする課題】
【０００３】
本発明は、熱の対流によりサーマル・カップ内の収容物の温度を制御するシステム及び方法を提供することを目的とする。
【課題を解決するための手段】
【０００４】
前記目的を達成するために、本発明に係る空調システムは、温度調整された気流を吐出させるための通気孔が形成されているハウジングを有し、温度調整された気流を前記通気孔を通じて吐出させる空調装置と、開口と密閉された底部とを有して熱伝導材により形成された中空のカップ部を備えるサーマルカップと、前記空調装置から前記通気孔を介して吐出された前記気流を前記サーマルカップに吹き付け得る位置に該サーマルカップを保持可能として前記ハウジングの前記通気孔の近くに設けられるカップ支持体とを少なくとも含み、前記カップ部は、前記開口を通じて物を入れる収容空間を画成する内周壁、当該内周壁との間に密閉室を画成する外周壁、及び前記密閉室内に設置される熱伝導部材を有しており、前記収容空間に収容された物の温度が、前記空調装置から前記通気孔を介して吐出された前記気流との熱の対流によって制御可能であることを特徴としており、また、本発明に係るアッセンブリは、通気孔を通じて温度調整された気流を吐出させる空調装置に付設可能なアセンブリであって、開口と密閉された底部とを有して熱伝導材により形成された中空のカップ部を備えるサーマルカップと、前記空調装置から前記通気孔を介して吐出された前記気流を前記サーマルカップに吹き付け得る位置に該サーマルカップを保持可能として前記ハウジングの前記通気孔の近くに設けられるカップ支持体とを少なくとも含み、前記カップ部は、前記開口を通じて物を入れる収容空間を画成する内周壁、当該内周壁との間に密閉室を画成する外周壁、及び前記密閉室内に設置される熱伝導部材を有しており、前記収容空間に収容された物の温度が、前記空調装置から前記通気孔を介して吐出された前記気流との熱の対流によって制御可能であることを特徴とし、さらに本発明に係る温度調整方法は、（ａ）開口及び密閉されている底部を有するように熱伝導材により形成された中空カップ部を備え、前記カップ部には、前記開口を通じて物を入れる収容空間を画成する内周壁、当該内周壁とで密閉室を画成する外周壁、及び前記密閉室内に設置される熱伝導部材を有するサーマルカップを用意するステップと、（ｂ）前記収容空間に前記物を入れるステップと、（ｃ）前記サーマルカップを、温度調整された気流を通気孔を介して吐出させ当該サーマルカップに吹付ける空調装置のハウジングの通気孔付近に配置するステップとを備えており、上記収容空間に収容された物の温度を、吐出した調整気流との熱対流によって制御するようにしたこと特徴としている。
【０００５】
而して、本発明の１つの態様しては、空調システムが、温度調整された気流を吐出させるための通気孔が形成されているハウジングを有し、前記通気孔を通じて温度調整された気流を吐出させる空調装置と、熱伝導材により開口と、密閉された底部とを有するように造られた中空カップ部を備え、前記カップ部には、前記開口を通じて物を入れる収容空間を画成する内周壁、当該内周壁とで密閉室を画成する外周壁、及び前記密閉室内に設置される熱伝導部材を有するサーマルカップと、前記ハウジングの前記通気孔の近くに設けられて前記サーマルカップを保持することにより温度調整された気流を前記通気孔を介して吐出させて前記サーマルカップに吹付けるカップ支持体とを備えている。
【０００６】
本発明の更なる態様としては、通気孔を通じて温度調整された気流を吐出させる空調装置を構成するアセンブリが、熱伝導材により開口と、密閉された底部とを有するように造られた中空カップ部を備え、前記カップ部には、前記開口を通じて物を入れる収容空間を画成する内周壁、当該内周壁とで密閉室を画成する外周壁、及び前記密閉室内に設置される熱伝導部材を有するサーマルカップと、前記ハウジングの前記通気孔の近くに設けられてサーマルカップを保持することにより温度調整された気流を前記通気孔を介して吐出させ前記サーマルカップに吹付けるカップ支持体とを備えている。
【０００７】
本発明の更なる態様としては、物の温度調整方法が、（ａ）開口及び密閉されている底部を有するように熱伝導材により形成された中空カップ部を備え、前記カップ部には、前記開口を通じて物を入れる収容空間を画成する内周壁、当該内周壁とで密閉室を画成する外周壁、及び前記密閉室内に設置される熱伝導部材を有するサーマルカップを用意するステップと、（ｂ）前記収容空間に前記物を入れるステップと、（ｃ）前記サーマルカップを、温度調整された気流を通気孔を介して吐出させ当該サーマルカップに吹き付ける空調装置のハウジングの通気孔付近に配置するステップとを備えている。
【発明の効果】
【０００８】
以上のように本発明によれば、サーマルカップの収容空間に入れた物の温度を、空調装置の通気孔から吐出した調整気流との熱の対流によって制御することができるので、加熱又は冷却のための電気器具を特別に用いる必要はなく、取り扱いが簡便である上、コスト節減に寄与することができる。
【発明を実施するための最良の形態】
【０００９】
以下、本発明の実施の形態を、添付図面に例示した本発明の実施例に基づいて以下に具体的に説明する。
【００１０】
添付図面において、図１は、本発明による空調システムの好適な実施例を示す概略図、図２は、本発明によるサーマル・カップの好適な実施例を示す概略断面図、図３は、本発明によるカップ座例を示す斜視図、図４は、本発明によるサーマル・カップの他の実施例を示す断面図、図５は、本発明による物体の温度を調整する方法を示すフローチャートである。
【００１１】
本発明をより詳細に説明する前に、本開示を通じて同様な要素に対しては同一の符号で示していることにご留意されたい。
【００１２】
まず、図１、２、３に示すように、本発明による空調システムの好適な実施例は、空調装置２、サーマルカップ１、及びカップ支持体３を備える。
【００１３】
空調装置２は、この例において、自動車の空調装置として車両に取付けられ、車体の一構成部分をなすハウジング２０を備えており、そのハウジング２０には通気孔２１が形成されている。この構成によって、通気孔２１を介して温度が調整された気流例えば冷気流又は暖気流を吐出し、従来の空調装置と同様に車内の温度を調整することができる。
【００１４】
カップ支持体３は、上記ハウジング２０の上記通気孔２１寄りの適当な部位に取付られる。取付の形態としては、当該カップ支持体３が、例えば、従来の車両に備えつけのドリンクホルダーのように前記ハウジング２０の前記通気孔２１下方に固設されるか、或いは図３に示された従来の脱着可能なドリンクホルダー３のようにハウジング２０の通気孔２１におけるグリル２２に脱着可能に取付られる。
【００１５】
サーマルカップ１は、上記通気孔２１近くの上記カップ支持体３内に保持されており、一端に開口１１０及び他端が密閉した底部１１７を有する熱伝導材製の中空筒状カップ部１１を有する。さらに、当該カップ部１１には、上記開口１１０を通じて例えば液体のような物４を入れるための収容空間１１５を画成する内周壁１１１と、前記内周壁１１１との間に中空の密閉室１１３を画成する外周壁１１２と、前記中空の密閉室１１３内に装填された熱伝導部材１１４とを備えている。
【００１６】
本実施例では、上記熱伝導部材１１４は、密閉室１１３を区画する内、外周壁１１１、１１２の表面に塗られた塗料層の形態をする。また、当該熱伝導部材１１４は、上記中空の密閉室１１３に充満する熱伝導性の良好な液体でもよいが、該熱伝導部材１１４は急速に熱伝導をするための超伝導材であることが好ましい。そして、カップ部１１の上記開口１１０側の頂端には、上記内、外周壁１１１、１１２を跨って、上記中空の密閉室１１３を密封する密封層１１６が配置されている。
【００１７】
また、好ましくは、前記サーマルカップ１は、上記カップ部１１の開口１１０を塞ぐ蓋部材１２を有する。
【００１８】
使用中、上記空調装置２が通気孔２１を通じて冷気流又は暖気流を吐出するように運転されると、冷気流又は暖気流は上記通気孔２１の近くの上記カップ支持体３に保持された上記サーマルカップ１に向かって吹きつけられる。上記サーマルカップ１の構成及び熱対流により、即ち、前記物４と前記気流との間でのサーマルカップ１（カップ部１１）を介しての熱の授受により、上記カップ部１１の収容空間１１５には冷房・暖房作用が働き、当該収容空間１１５内に入れられた上記物４を冷気又は暖気に近い温度になるよう冷やしたり温めたりする。
【００１９】
このように、上記サーマルカップ１に入った物体４を、特に電気器具を使わずに、熱の対流によって冷やしたり温めたりすることができる。
【００２０】
図４は、図２のサーマルカップ１の他の例を示す。このサーマルカップ１は、食品や飲料の缶詰のような物体４′を収容するのに使われる。この例においては、当該サーマルカップ１は、断熱材による蓋部材１２０を有し、この蓋部材１２０には、前記カップ部１１の開口１１０に合った通孔１２１が形成されている。上記使用例と同様に、当該物体４′が、上記通孔１２１を介して上記収容空間１１５に挿し込まれて、上記空調装置２が作動すると熱対流によって冷えたり温まったりするようになる。
【００２１】
また、図５を図１乃至図４と併せて参照すると、本発明による物体の温度を制御する方法は、上記のように構成されたサーマルカップ１を用意するステップＳ１と、当該サーマルカップ１におけるカップ部１１の収容空間１１５に物体４（４′）を入れるステップＳ２と、空調装置２におけるハウジング２０の通気孔２１付近にカップ支持体３を取付け、上記物体４（４′）をサーマルカップ１と共に当該カップ支持体に配置するステップＳ３とを含むものであり、上記通気孔２１の近くに上記サーマルカップ１が上記カップ支持体により保持され、上記空調装置２によって上記通気孔２１を経て温度調整された気流を吐出させ上記サーマルカップ１に吹き付ける。前記により、上記収容空間１１５に収容された物体４（４′）の温度が、温度調整された気流との熱対流によって制御されることができる。
【図面の簡単な説明】
【００２２】
【図１】本発明による空調システムの好適な実施例の概略を示す側面図。
【図２】本発明によるサーマル・カップの好適な実施例の概略を示す側断面図。
【図３】本発明によるカップ支持体の一例を示す斜視図。
【図４】本発明によるサーマル・カップの他の実施例の概略を示す側断面図。
【図５】本発明による温度調整方法を示すフローチャート。
【符号の説明】
【００２３】
１・・・サーマルカップ
１１・・・カップ部
１１０・・・開口
１１１・・・内周壁
１１２・・・外周壁
１１３・・・密閉室
１１４・・・熱伝導部材
１１５・・・収容空間
１１６・・・密封層
１１７・・・底部
１２、１２０・・・蓋部材
１２１・・・通孔
２・・・空調装置
２０・・・ハウジング
２１・・・通気孔
２２・・・グリル
３・・・カップ支持体（ドリンクホルダー）
４、４′・・・収容物
【図１】
2004268898.tif 000003
【図２】
2004268898.tif 000004
【図３】
2004268898.tif 000005
【図４】
2004268898.tif 000006
【図５】
2004268898.tif 000007